(57)【要約】【課題】本発明は、回転電機のハウジングの開口部の隙間を十分に封止しハウジング内部への水分の浸入を防止できる。【解決手段】回転電機のハウジングの円筒体２０には、開口部２６が設けられ、前記開口部２６は縁２７が前記円筒体２０の表面から外側に突出する円筒状に形成されている。前記縁２７の外周面２７ａには、ブレードチューブ２８が嵌合されている。前記開口部２６に、ケーブル６が引出されている。前記ケーブル６は複数のリード線６０が束ねられて構成されている。前記縁２７の内側において、前記リード線６０のそれぞれに、シート状に形成された吸水材６１が巻かれている。すなわち、前記吸水材は前記縁２７と前記各リード線６０との隙間及び前記各リード線６０同士の隙間に設けられている。【選択図】図２
2018033220.tif 000002
【特許請求の範囲】
【請求項１】
ハウジング（２）と、
前記ハウジング（２）に設けられ、前記ハウジング（２）の内側から引出されるリード線（６０）が引出される開口部（２６）と、
前記開口部（２６）に設けられ、吸水材からなる封止部材（６１，６１ａ）と
を備えることを特徴とする回転電機のリード線引出し構造。
【請求項２】
前記封止部材（６１，６１ａ）は、前記開口部（２６）とリード線（６０）との隙間又は前記リード線（６０）同士の隙間の少なくともいずれか一方に設けられ、前記封止部材（６１，６１ａ）が水分を吸収することで前記開口部（２６）と前記リード線（６０）との隙間又は前記リード線（６０）同士の隙間が埋められる構成としたことを特徴とする請求項１記載の回転電機のリード線引出し構造。
【発明の詳細な説明】
【技術分野】
【０００１】
この発明は回転電機のリード線引出し構造に関し、特に、リード線が引出される開口部の防水構造に関する。
【背景技術】
【０００２】
従来、回転電機のハウジングに開口部が設けられ、内側からリード線が引き出されるように構成されている場合には、外部からハウジング内部への水分の浸入を防止するために開口部の隙間が封止される。開口部の隙間が封止された回転電機のリード線引出し構造としては、例えば以下の特許文献１に記載された構成を図８として挙げることができる。すなわち、従来の回転電機１では、ハウジング２の開口部に、穴の開いた防水ハウジング３とゴムブッシュ４が挿入され、そして、穴の開いた押え板５により開口部に固定されている。また、前記ハウジング２の内側から引き出されたケーブル６が、前記防水ハウジング３、ゴムブッシュ４及び押え板５の穴から引出されている。さらに、前記押え板５の穴と前記ケーブル６との隙間が樹脂７で封止されることで、外部から前記ハウジング２内への水分の浸入が防止されている。
【先行技術文献】
【特許文献】
【０００３】
【特許文献１】特開２００１−７８３８１号公報
【発明の概要】
【発明が解決しようとする課題】
【０００４】
しかし、上記のような従来の前記回転電機１において、前記ケーブル６がリード線を複数束ねた構成である場合には、前記リード線同士の隙間には前記樹脂７が十分に浸透しないために、前記押え板５の封止が不十分となり外部から前記ハウジング２内へ水分の浸入を防止できないという問題点があった。
【０００５】
この発明はこのような課題を解決するためになされたものであり、特に、ハウジングの内側から引出されるリード線が引出されるハウジングに設けられた開口部の隙間を十分に封止し、ハウジング内部への水分の浸入を防止できる回転電機のリード線引出し構造を提供することを目的とする。
【課題を解決するための手段】
【０００６】
上記の課題を解決するために、この発明に係る回転電機のリード線引出し構造は、ハウジングと、前記ハウジングに設けられ、前記ハウジングの内側から引出されるリード線が引出される開口部と、前記開口部に設けられ、吸水材からなる封止部材とを備えるように構成され、また、前記封止部材は、前記開口部と前記リード線との隙間又は前記リード線同士の隙間の少なくともいずれか一方に設けられ、前記封止部材が水分を吸収することで前記開口部と前記リード線との隙間又は前記リード線同士の隙間が埋められるように構成される。
【発明の効果】
【０００７】
本発明に係る回転電機のリード線引出し構造によれば、ハウジングの前記開口部に、吸水材からなる封止部材が設けられているので、開口部の隙間を十分に封止し内部への水分の浸入を防止できる。
【図面の簡単な説明】
【０００８】
【図１】この発明の実施の形態に係る回転電機の断面概略図である。
【図２】図１に示す縁のＡ−Ａ線における拡大断面概略図である。
【図３】図１に示す縁の封止状態の拡大断面概略図である。
【図４】この発明の実施の形態の変形例に係る縁の拡大断面概略図である。
【図５】図４に示す棒状吸水材の概略図である。
【図６】この発明の実施の形態の変形例に係る図１に示す縁のＡ−Ａ線における拡大断面概略図である。
【図７】この発明の実施の形態の変形例に係る図１に示す開口部のＢ−Ｂ線における拡大断面概略図である。
【図８】従来の回転電機の断面概略図である。
【発明を実施するための形態】
【０００９】
以下、この発明の実施の形態を添付図面の図１〜図５に基づいて説明する。なお、従来例と同一又は同等部分には同一符号を付して説明する。
図１は、この発明の実施の形態に係る回転電機の断面概略図である。回転電機１００には、円柱状のハウジング２が設けられている。前記ハウジング２には、円筒体２０と、前記円筒体２０の前開口を塞ぐ前蓋２１と、後開口を塞ぐ後蓋２２と、ハウジング２内部を前室２３と後室２４とに区切る隔壁２５が設けられている。
【００１０】
前記前室２３内の前記円筒体２０の内壁に、ステータ巻線８ａを有するステータ８が設けられている。
【００１１】
前記前蓋２１に設けられた前軸受１１と、前記隔壁２５に設けられた後軸受１２とにより、回転軸９が回転自在に支持されている。前記前軸受１１により前記前蓋２１と前記回転軸９との隙間が封止され、前記後軸受１２により前記隔壁２５と前記回転軸９との隙間が封止されている。前記回転軸９にはロータ１３が前記回転軸９とともに回転するようにに取り付けられている。
【００１２】
前記円筒体２０には開口部２６が設けられ、前記開口部２６は前記前室２３の内外を連通するとともに、前記縁２７のＡ−Ａ線における拡大断面概略図である図２に示されるように、前記開口部２６の縁２７が前記円筒体２０（図１参照）の表面から外側に突出する円筒状に形成されている。前記縁２７の外周面２７ａには、ブレードチューブ２８が嵌合されている。
【００１３】
前記開口部２６に、前記前室２３（図１参照）から引出されたケーブル６が引出されている。前記ケーブル６は、前記ステータ巻線８ａ（図１参照）に接続されているリード線６０が複数束ねられて構成されており、前記各リード線６０は、心線６０ａが被覆６０ｂで被覆されて構成されている。
【００１４】
前記縁２７の内側において、前記リード線６０のそれぞれに、シート状に形成された吸水材６１が巻かれている。すなわち、前記吸水材６１は前記縁２７と前記各リード線６０との隙間及び前記各リード線６０同士の隙間に設けられている。前記吸水材６１は、例えばポリアクリル酸塩系のＳＡＰ（Ｓｕｐｅｒ Ａｂｓｏｒｂｅｎｔ Ｐｏｌｙｍｅｒ：高吸水性高分子）と言われる吸水材を用いた部材であり、封止作用を有している。
【００１５】
図３は、図１に示す前記縁２７の封止状態の拡大断面概略図である。図１における、前記ブレードチューブ２８及び前記縁２７内を経て前記開口部２６から、水分が前記ハウジング２内部に向かって浸入しようとすると、図３に示すように、前記吸水材６１が水分を吸収して膨張する。そのため、前記縁２７と前記リード線６０との隙間及び前記各リード線６０同士の隙間を、膨張した前記吸水材６１が封止し、前記開口部２６から前記ハウジング２内部への水分の浸入を防止することができる。
【００１６】
このように、前記ハウジング２と、前記ハウジング２に設けられ、前記ハウジング２の内側から引出される前記ケーブル６が引出される前記開口部２６と、前記開口部２６に設けられ、前記吸水材６１からなる封止部材とを備える構成であり、また、前記吸水材６１は、図２の構成に限ることなく、前記開口部２６と前記リード線６０との隙間又は前記リード線６０同士の隙間の少なくともいずれか一方に設けられ、前記吸水材６１が水分を吸収することで前記開口部２６と前記リード線６０との隙間又は前記リード線６０同士の隙間が埋められる構成であるので、前記開口部２６内の隙間を十分に封止し、前記ハウジング２内部への水分の浸入を防止できる。
【００１７】
なお、この実施の形態では、前記吸水材６１はシート状に形成され、前記各リード線６０に巻かれて設けられていたが、水分が前記開口部２６に浸入しようとするときに前記吸水材６１が前記開口部２６を封止できるのであれば前記吸水材６１は他の形状であってもよく、他の封止方法と組み合わせる等の他の配置方法で設けられていてもよい。例えば、図４はこの実施の形態の変形例に係る縁の拡大断面概略図を示しており、図４に示すように、前記縁２７と前記各リード線６０との隙間は公知の例えばシリコーン系コーキング材等からなるコーキング材７０で封止し、図５に示すような、前記吸水材６１と同じ素材で形成された棒状吸水材６１ａを、図４に示すように封止部材として前記各リード線６０同士の隙間に挿入して設けてもよい。また、図６はこの変形例に係る図１に示す前記縁２７のＡ−Ａ線における拡大断面概略図であり、図５に示すような前記棒状吸水材６１ａを、図６に示すように、前記縁２７と前記リード線６０との隙間及び前記各リード線６０同士の隙間に複数挿入して設けてもよい。
【００１８】
また、この実施の形態では、図２及び図４に示すように、前記吸水材６１及び前記棒状吸水材６１ａは前述のポリアクリル酸塩系のＳＡＰを用いているが、前記縁２７と前記各リード線６０との隙間及び前記各リード線６０同士の隙間に設けられて封止部材となることができる吸水材であれば、以下に挙げるような他の種類の吸水材であってもよい。例えば、ポリスルホン酸塩系、無水マレイン酸塩系、ポリアクリルアミド系、ポリビニルアルコール系、ポリエチレンオキシド系、ポリアミン系等の合成樹脂系吸水材や、ポリアスパラギン酸塩系ポリグルタミン酸塩系、ポリアルギン酸塩系、デンプン系、セルロース系、ポリグリコール系等の天然物由来系吸水材であってもよい。また、上記に例示した吸水材以外の吸水材であってもよい。
【００１９】
また、この実施の形態では、図１に示すように、前記回転電機１００が前記開口部２６を備えているが、回転電機及び開口部の態様はこの実施の形態に記載された態様に限定されない。例えば、前記開口部２６を複数個備える回転電機等の、他の態様の回転電機であってもよい。
【００２０】
また、この実施の形態では、前記縁２７には前記ブレードチューブ２８が嵌合されていたが、この構成に限定されるものではない。例えば、前記ブレードチューブ２８は設けられていなくてもよい。すなわち、前記縁２７を延長させて前記ブレードチューブ２８の代わりとすることもできる。また、前記縁２７を設けず、前記開口部２６に引き出された前記ケーブル６を前記ブレードチューブ２８に挿通させ、例えば結束糸等の固定部材によって前記ブレードチューブ２８と前記ケーブル６とを結束してもよい。さらに、図１に示すように、前記後室２４より引き出された前記ケーブル６については、公知のブッシュ又はチューブ２９に挿通させて前記ケーブル６を覆い、線Ｂ−Ｂ線における拡大断面図である図７に示すように、前記各リード線６０同士の隙間及び前記リード線６０と前記ブッシュ又はチューブ２９との隙間に前記棒状吸水材６１ａが挿入されている構成であるが、この構成を図１に示す前記開口部２６に引き出された前記ケーブル６に対して適用してもよい。
【００２１】
なお、本発明による回転電機のリード線引出し構造の要旨としては、以下の通りである。すなわち、前記ハウジング２と、前記ハウジング２に設けられ、前記ハウジング２の内側から引出される前記リード線６０が引出される前記開口部２６と、前記開口部２６に設けられ、前記吸水材６１と前記棒状吸水材６１ａとのいずれか又は両方からなる封止部材とを備える構成であり、また、前記封止部材は、前記開口部２６と前記リード線６０との隙間又は前記リード線６０同士の隙間の少なくともいずれか一方に設けられ、前記封止部材が水分を吸収することで前記開口部２６と前記リード線６０との隙間又は前記リード線６０同士の隙間が埋められる構成である。
【産業上の利用可能性】
【００２２】
本発明による回転電機のリード線引出し構造はハウジングと、前記ハウジングに設けられ、ハウジングの内側から引出されるリード線が引出される開口部と、前記開口部に設けられ、吸水材からなる封止部材とを備えるので、開口部の隙間を十分に封止し、前記ハウジング内部への水分の浸入を防止できる。
【符号の説明】
【００２３】
２          ハウジング
２６        開口部
６０        リード線
６１        吸水材（封止部材）
６１ａ      棒状吸水材（封止部材）
１００      回転電機
【図１】
2018033220.tif 000003
【図２】
2018033220.tif 000004
【図３】
2018033220.tif 000005
【図４】
2018033220.tif 000006
【図５】
2018033220.tif 000007
【図６】
2018033220.tif 000008
【図７】
2018033220.tif 000009
【図８】
2018033220.tif 000010